(57)【要約】【課題】後処理装置を備えていなくても仕分けのために合紙を使用することや、複数の給紙トレイや排紙トレイを使用して装置を大型化・高コスト化することなく、ユーザに組毎の印刷物を確実に後処理させることができる。【解決手段】印刷装置１は、印刷ジョブおよび後処理情報を受け付ける受付手段１１ａと、排紙トレイ１７に載置された用紙を検知する用紙検知手段１７ａと、複数枚を一組として印刷する印刷ジョブを受信すると共に、後処理情報によってその印刷ジョブに基づくその印刷ジョブに基づく各組の印刷後にユーザが後処理を行うことを示されている場合、一組の印刷が終了するたびに印刷動作を停止し、その後所定時間αを経過した場合には、用紙検知手段により用紙が検知されなくなるまで報知を継続するよう制御する制御手段１１ｂとを備える。【選択図】図１
2016049633.tif 000002
【特許請求の範囲】
【請求項１】
ユーザから複数枚を一組として印刷する印刷ジョブおよびその印刷ジョブに基づく各組の印刷後にユーザが後処理を行うことを示す後処理情報を受け付ける受付手段と、
前記印刷ジョブに基づいて印刷され、排紙トレイに載置された用紙を検知する用紙検知手段と、
ユーザに前記一組の印刷が終了したことを報知する報知手段と、
前記受付手段により前記印刷ジョブを受信すると共に前記後処理情報によってその印刷ジョブについて後処理を行うことが示されている場合、前記一組の印刷が終了するたびに印刷動作を停止し、その後所定時間を経過した場合には、前記用紙検知手段により用紙が検知されなくなるまで前記報知手段に前記一組の印刷が終了した旨の報知を継続させるよう制御する制御手段と、
を備えたことを特徴とする印刷装置。
【請求項２】
前記制御手段は、
各組の最後のページの印刷を終了し、かつ、最後の組の印刷終了でない場合、印刷動作を一時停止させ、次の組の印刷時間を算出すると共に、ユーザが印刷後に行う後処理の内容に応じた後処理時間を決定し、前記印刷時間が前記後処理時間よりも大きいか否かを判定し、
前記印刷時間が前記後処理時間よりも大きい場合には、印刷物の取出しに最低限必要な時間を前記所定時間に設定する一方、前記後処理時間が前記印刷時間以上の場合、前記取出し最低限必要時間に前記後処理時間と前記印刷時間との差分を加算した時間を前記所定時間に設定して、印刷動作を一時停止後、前記所定時間が経過するまでの間に、印刷物が排紙トレイから除去されるか否かを判定し、
印刷動作を一時停止後、前記所定時間が経過するまでの間に、印刷物が排紙トレイから除去されない場合、前記報知手段によって報知する
ことを特徴とする請求項１に記載の印刷装置。
【請求項３】
前記制御手段は、
さらに、印刷動作を一時停止後、前記所定時間に固定値を加算した時間が経過するまでの間に、印刷物が排紙トレイから除去されない場合、印刷ジョブの分離処理を実行して、印刷済み分は印刷済みジョブとして処理する一方、未印刷分を未印刷ジョブとして保留して終了する
ことを特徴とする請求項２に記載の印刷装置。
【発明の詳細な説明】
【技術分野】
【０００１】
本発明は、印刷後に後処理を行う後処理装置を用いずに、印刷機単体で部やグループ、組（以下、組で略す。）毎に仕分けしながら印刷できる印刷装置に関する。
【背景技術】
【０００２】
印刷装置にステープル処理やパンチ処理等の後処理装置（排紙オプション装置）を接続すると、印刷後に自動でそれらの後処理を行うことができる。
【０００３】
しかしながら、このような後処理の頻度が少ない場合には、後処理装置を用いることなく、印刷装置において印刷された用紙に対して、ステープルやパンチなどの後処理をユーザ自らが手動で行う場合もある。その際、ステープルやパンチなどの後処理の単位を考慮せず、印刷装置が連続して印刷した用紙を出力すると、ユーザは印刷された用紙のどの位置からどの位置までをまとめて後処理する１組とすればよいのか把握できなくなってしまう。
【０００４】
そこで、後処理する複数枚の用紙を１組として例えば、仕分け間に合紙を挿入したり（例えば、特許文献１参照。）、複数の給紙トレイを使い分けて同一サイズのセット向きを９０度変えたり（例えば、特許文献２参照。）、複数の排紙トレイ（ビン）を用いる装置（例えば、特許文献３参照。）等が提案されている。
【先行技術文献】
【特許文献】
【０００５】
【特許文献１】特開２０１０―１１１０７８号公報
【特許文献２】特開平２―１３８０７４号公報
【特許文献３】特開２００９―２９８５８４号公報
【発明の概要】
【発明が解決しようとする課題】
【０００６】
しかしながら、上述の特許文献１に記載の印刷装置では、仕分けのために合紙を無駄に消費するという問題がある。
【０００７】
また、上述の特許文献２に記載の印刷装置では、複数の給紙トレイが必要となる上、仕分け処理のためだけに同一用紙で複数の給紙トレイを占有してしまうという問題がある。また、排紙時に適切な位置にフェンスを設定できないため、排紙揃えが上手くできないという問題もある。
【０００８】
また、上述の特許文献３の印刷装置では、印刷機本体の大型化・高コスト化になるという問題がある。
【０００９】
本発明は、上記課題に鑑みてなされたものであり、後処理装置を備えていなくても仕分けのために合紙を使用することや、複数の給紙トレイや排紙トレイを使用して装置を大型化・高コスト化することなく、ユーザに組毎の印刷物を確実に後処理させることができる印刷装置を提供することを目的とする。
【課題を解決するための手段】
【００１０】
上記目的を達成するため、本発明に係る印刷装置の第１の特徴は、ユーザから複数枚を一組として印刷する印刷ジョブおよびその印刷ジョブに基づく各組の印刷後にユーザが後処理を行うことを示す後処理情報を受け付ける受付手段と、前記印刷ジョブに基づいて印刷され、排紙トレイに載置された用紙を検知する用紙検知手段と、ユーザに前記一組の印刷が終了したことを報知する報知手段と、前記受付手段により前記印刷ジョブを受信すると共に前記後処理情報によってその印刷ジョブについて後処理を行うことが示されている場合、前記一組の印刷が終了するたびに印刷動作を停止し、その後所定時間を経過した場合には、前記用紙検知手段により用紙が検知されなくなるまで前記報知手段に前記一組の印刷が終了した旨の報知を継続させるよう制御する制御手段と、を備えたことにある。
【００１１】
また、本発明に係る印刷装置の第２の特徴は、前記制御手段は、各組の最後のページの印刷を終了し、かつ、最後の組の印刷終了でない場合、印刷動作を一時停止させ、次の組の印刷時間を算出すると共に、ユーザが印刷後に行う後処理の内容に応じた後処理時間を決定し、前記印刷時間が前記後処理時間よりも大きいか否かを判定し、前記印刷時間が前記後処理時間よりも大きい場合には、印刷物の取出しに最低限必要な時間を前記所定時間に設定する一方、前記後処理時間が前記印刷時間以上の場合、前記取出し最低限必要時間に前記後処理時間と前記印刷時間との差分を加算した時間を前記所定時間に設定して、印刷動作を一時停止後、前記所定時間が経過するまでの間に、印刷物が排紙トレイから除去されるか否かを判定し、印刷動作を一時停止後、前記所定時間が経過するまでの間に、印刷物が排紙トレイから除去されない場合、前記報知手段によって報知することにある。
【００１２】
また、本発明に係る印刷装置の第３の特徴は、前記制御手段は、さらに、印刷動作を一時停止後、前記所定時間に固定値を加算した時間が経過するまでの間に、印刷物が排紙トレイから除去されない場合、印刷ジョブの分離処理を実行して、印刷済み分は印刷済みジョブとして処理する一方、未印刷分を未印刷ジョブとして保留して終了することにある。
【発明の効果】
【００１３】
本発明に係る印刷装置の第１の特徴によれば、受付手段により印刷ジョブを受信すると共に後処理情報によってその印刷ジョブについてユーザによる後処理の実行が示されている場合、一組の印刷が終了するたびに印刷動作を停止し、その後所定時間を経過した場合には、用紙検知手段により用紙が検知されなくなるまで報知手段に一組の印刷が終了した旨の報知を継続される。
【００１４】
そのため、後処理装置を備えていなくても仕分けのために合紙を使用することや、複数の給紙トレイや排紙トレイを使用して装置を大型化・高コスト化することなく、ユーザに組毎の印刷物を確実に後処理させることができる。
【００１５】
本発明に係る印刷装置の第２の特徴によれば、最後の組の印刷終了でない場合、印刷動作を一時停止させ、次の組の印刷時間を算出する共に、ユーザが印刷後に行う後処理の内容に応じた後処理時間を決定して、印刷時間が後処理時間よりも大きいか否かを判定し、印刷時間が後処理時間よりも大きい場合には、印刷物の取出しに最低限必要な時間を所定時間に設定する一方、後処理時間が印刷時間以上の場合には、取出し最低限必要時間に後処理時間と印刷時間との差分を加算した時間を所定時間に設定して報知する。そのため、印刷時間や後処理の内容に応じて効率良く報知して、ユーザに組毎の印刷物を確実に後処理させることができる。
【００１６】
本発明に係る印刷装置の第３の特徴によれば、印刷時間や後処理の内容に応じた所定時間に固定値を追加した所定時間を経過した場合、印刷ジョブの分離処理を実行して、印刷済み分は印刷済みジョブとして処理する一方、未印刷分を未印刷ジョブとして保留して終了するので、排紙トレイから印刷物を除去せずに報知しても気付かないユーザがいる場合、印刷ジョブの分離を実行して、効率良くユーザに組毎の印刷物を確実に後処理させることができる。
【図面の簡単な説明】
【００１７】
【図１】本発明に係る実施例１の印刷装置の構成および接続を示す図である。
【図２】本発明に係る実施例１の印刷装置の印刷動作を示すフローチャートである。
【図３】印刷動作の一時停止から報知開始までの時間を示しており、（ａ）は印刷時間が後処理時間よりも大きい場合、（ｂ）は後処理時間が印刷時間以上の場合を示す図である。
【図４】本発明に係る実施例２の印刷装置の印刷動作の前半部分を示すフローチャートである。
【図５】本発明に係る実施例２の印刷装置の印刷動作の後半部分を示すフローチャートである。
【図６】一組の印刷枚数が多く、後処理にオフセットを選択した場合で、印刷時間が後処理時間よりも大きい図３（ａ）に示す場合のタイミングチャートである。
【図７】一組の印刷枚数が数枚だが、後処理がステープル処理等の時間がかかり、後処理時間が印刷時間以上となる図３（ｂ）に示す場合に、所定時間を取出し最低限必要時間として報知した場合のタイミングチャートである。
【図８】一組の印刷枚数が数枚だが、後処理がステープル処理等の時間がかかり、後処理時間が印刷時間以上となる図３（ｂ）に示す場合に、後処理種別に応じた無報知期間を設定した場合のタイミングチャートである。
【発明を実施するための形態】
【００１８】
以下、図面を参照して、本発明に係る実施例の印刷装置について説明する。
【００１９】
（実施例１）
図１は、本発明に係る実施例１の印刷装置の構成と接続を示す図である。
【００２０】
図１に示すように、実施例１の印刷装置１は、ネットワーク２を介してパソコン等の端末装置３と接続されており、ＣＰＵ１１と、メモリ１２と、プログラム記憶部１３と、ネットワークＩ／Ｆ部１４と、給紙部１５と、印刷部１６と、排紙トレイ１７と、ユーザＩ／Ｆ部１８等を備える。
【００２１】
ＣＰＵ１１は、本装置１の各部全体の動作を制御すると共に、後述するように本発明の受付手段１１ａおよび制御手段１１ｂとして機能する。
【００２２】
メモリ１２は、ＣＰＵ１１が各種演算を実行する際にデータを保存や展開すると共に、ＣＰＵ１１が端末装置３から受付けた複数枚を一組として印刷する印刷ジョブおよびその印刷ジョブに基づく各組の印刷後にユーザが後処理を行うことを示す後処理情報を保存する。
【００２３】
プログラム記憶部１３は、ＣＰＵ１１が本装置１の各部全体の動作を制御すると共に、後述するように本発明の受付手段１１ａおよび制御手段１１ｂとして機能するためのプログラム等が記憶されている。
【００２４】
ネットワークＩ／Ｆ部１４は、印刷装置１と複数の端末装置３とを結ぶネットワーク２に接続する。
【００２５】
給紙部１５は、印刷部１６に対し各種サイズの用紙を供給する。
【００２６】
印刷部１６は、例えば、インクジェット方式、すなわちブラック、シアン、マゼンダ、イエロー等の各色のインクヘッドからインクを吐出して画像を形成するもので、端末装置３からネットワーク２を介して受信した印刷ジョブに基づいて印刷を行う。なお、印刷部１５は、インクジェット式に限らず、孔版印刷や、レーザー印刷方式でも良い。
【００２７】
排紙トレイ１７は、印刷部１６で印刷された印刷用紙を排出するもので、排紙トレイに１７には載置された印刷用紙を光の照射や用紙の重量等によって検知する排紙センサ１７ａが用紙検知手段として設けられている。
【００２８】
ユーザＩ／Ｆ部１８は、本装置１の電源ボタン等の各種操作ボタンや、印刷状態、エラーメッセージ等の本装置１の動作状態を表示する液晶モニタやタッチパネル、音声出力機能を備えており、ユーザが操作したり、ユーザに各種情報や状態を表示する。そのため、本発明の報知手段としても機能して、後述するように一組の印刷が終了するたびに所定時間経過後、排紙トレイ１７で用紙が検知されなくなるまで音声や表示によりユーザに報知する。
【００２９】
次に、以上のように構成された印刷装置１の動作について、フローチャートを参照しながら説明する。
【００３０】
図２は、実施例１の印刷装置１の印刷動作を示すフローチャートである。
【００３１】
図２に示すように、実施例１の印刷装置１では、電源オンにより動作を開始すると、まず、ＣＰＵ１１が受付手段１１ａとして機能して、ネットワーク２を介し端末装置３により送信された印刷ジョブを受信すると共に（ステップＳ１０３）、受信した印刷ジョブが複数枚を一組として印刷する印刷ジョブであって、その印刷ジョブに基づく各組の印刷後にユーザが後処理を行うことを示す後処理情報が付属されているか否かを判定する（ステップＳ１０５）。なお、後処理情報は、印刷ジョブに付属されている場合だけでなく、印刷ジョブとは別に受信しても良い。
【００３２】
そして、印刷ジョブを受信しても（ステップＳ１０３“Ｙｅｓ”）、その印刷ジョブが複数枚を一組として印刷する印刷ジョブであって、各組の印刷後にユーザが後処理を行うことを示す後処理情報が付属されていない場合は（ステップＳ１０５“Ｎｏ”）、ＣＰＵ１１は、後処理を考慮せずに通常通り、受信した印刷ジョブに基づいて印刷部１６に印刷を実行させる（ステップＳ１０７）。つまり、印刷部１６は、ＣＰＵ１１の制御の下、給紙部１５から用紙を一枚ずつ給紙させ、印刷ジョブの内容に基づいて一枚ずつ印刷を行って、排紙トレイ１７へ排出する。
【００３３】
これに対し、受信した印刷ジョブが複数枚を一組として印刷する印刷ジョブであって、各組の印刷後にユーザが後処理を行うことを示す後処理情報が付属されている場合は（ステップＳ１０５“Ｙｅｓ”）、ＣＰＵ１１は、制御手段１１ｂとして機能し、印刷ジョブに基づいて印刷部１６に一枚ずつ印刷を実行させ、排紙トレイ１７へ排出すると共に（ステップＳ１０９）、各組の最後のページの印刷を終了したか否かを判定する（ステップＳ１１１）。なお、ここでは、印刷ジョブには、所定の枚数である組毎にステープルやパンチ、仕分け等の後処理情報が付属されているものとする。
【００３４】
そして、ＣＰＵ１１は、ステップＳ１１１において各組の最後のページの印刷を終了していないと判定した場合、（“Ｎｏ”）、ステップＳ１０９の処理に戻ってさらに印刷を続ける。
【００３５】
これに対し、各組の最後のページの印刷を終了した場合（“Ｙｅｓ”）、続いて最後の組の印刷終了であるか否かを判定し（ステップＳ１１３）、最後の組の印刷終了である場合（ステップＳ１１３“Ｙｅｓ”）、印刷を終了する。
【００３６】
その一方、最後の組の印刷終了でない場合（ステップＳ１１３“Ｎｏ”）、途中の組の印刷が終了した場合であるため、ＣＰＵ１１は制御手段１１ｂとして機能して、図示しない印刷エンジンを停止することにより印刷動作を一時停止させ（ステップＳ１１５）、印刷動作の停止後の経過時間をタイマー等に基づいてカウントする（ステップＳ１１７）。
【００３７】
ここで、ＣＰＵ１１は印刷動作の一時停止後、所定時間αが経過するまでの間に印刷動作を一時停止したことをユーザＩ／Ｆ部１８等により報知したか否かを判定し（ステップＳ１１９）、未報知の場合のみ（ステップＳ１１９“Ｙｅｓ”）、組間の印刷動作一時停止をユーザＩ／Ｆ部１８等により報知して（ステップＳ１２１）、その組間の印刷物は排紙トレイ１７から除去されたか否かを排紙センサ１７ａからのセンサ出力に基づいて判定する（ステップＳ１２３）。
【００３８】
ここで、所定時間αは、５秒や１０秒。１５秒等のユーザが適当に設定した時間でも良いが、ここでは、例えば、印刷枚数や後処理の内容（後処理に要する時間）等を考慮して、図３に示すようにして決めても良い。
【００３９】
図３は、印刷動作の一時停止から報知開始までの所定時間αを示しており、（ａ）は次の組の印刷時間α１が後処理時間α２よりも長い場合、（ｂ）は後処理時間α２が次の組の印刷時間α１以上の場合を示している。
【００４０】
つまり、次の組の印刷枚数が多くその印刷時間α１がパンチ等の後処理に要する後処理時間α２よりも長い場合、図３（ａ）に示すように印刷動作の一時停止から報知開始までの所定時間αを、排紙トレイ１７に排出された印刷物の取出しに最低限必要となる取出し最低限必要時間Ｘとして設定する。
【００４１】
これに対し、次の組の印刷枚数が少なく後処理時間α２がその印刷時間α１以上の場合、図３（ｂ）に示すように印刷動作の一時停止から報知開始までの所定時間αを、後処理時間α２と次の組の印刷時間α１との差分（α２−α１）を後処理種別に応じた無報知期間とし、この差分（α２−α１）に取出し最低限必要時間Ｘを加算した（α２−α１）＋Ｘに設定する。
【００４２】
ここで、後処理時間α２は、後処理の内容によって決まるもので、パンチや仕分け処理等の時間のかからない後処理であれば、例えば５秒、ステープル処理等の時間のかかる後処理であれば例えば１０秒等の時間を設定する。また、取出し最低限必要時間Ｘは、排紙トレイ１７に載置された印刷用紙に取出しに最低限必要な時間であり、例えば３秒等を設定する。
【００４３】
また、印刷時間α１や後処理時間α２は予め決めずに、後述する実施例２の印刷装置１のように印刷動作の一連の処理の中で算出することもできる。
【００４４】
図２に戻り、印刷動作の一時停止後、所定時間αを経過しても、組間の印刷物が排紙トレイ１７から除去されていない場合（ステップＳ１１９“ＹＥＳ”およびステップＳ１２３“ＮＯ”）、ＣＰＵ１１はステップＳ１２１の処理によってユーザＩ／Ｆ部１８等による報知を継続して、印刷動作を一時停止したことをユーザに報知する。
【００４５】
その一方、印刷動作の一時停止後、所定時間αが経過する前に組間の印刷物が排紙トレイ１７から除去された場合（ステップＳ１２３“Ｙｅｓ”）、ＣＰＵ１１は印刷部１６に対し印刷動作を再開させ（ステップＳ１２５）、ステップＳ１０９の処理に戻って次の組について一枚印刷を実行する。なお、ステップＳ１２５の処理で印刷動作を再開させる際、ステップＳ１２１の処理によって組間の印刷動作一時停止をユーザＩ／Ｆ部１８等により報知している場合には、その報知を中止させる。
【００４６】
従って、実施例１の印刷装置によれば、複数枚を一組として印刷する印刷ジョブに対しその印刷ジョブに基づく各組の印刷後にユーザが後処理を行うことを示す後処理情報が設定されていた場合、一組の印刷が終了するたびに印刷動作を停止し、その後所定時間αを経過した場合には、排紙トレイ１７から用紙が検知されなくなるまでユーザＩ／Ｆ部１８等により報知を継続するため、仕分けのために合紙を使用することなく、かつ、複数の給紙部１６や排紙トレイ１７を使用して装置を大型化・高コスト化することなく、ユーザに組毎の印刷物を確実に後処理させることができる。
【００４７】
（実施例２）
次に、本発明に係る実施例２の印刷装置１について説明する。
【００４８】
上記実施例１の印刷装置１では、各組の最後のページの印刷を終了し、かつ、最後の組の印刷終了でない場合に印刷動作の一時停止後、所定時間αを経過した場合に報知を開始するように説明したが、これに限らない。
【００４９】
本発明に係る実施例２の印刷装置１では、各組の最後のページの印刷を終了し、かつ、最後の組の印刷終了でない場合に印刷動作を一時停止させる際、印刷部１６の印刷エンジン（図示せず。）は停止させずに、所定時間αを経過した後に印刷部１６の印刷エンジン（図示せず。）を停止すると共に、さらに後処理種別に応じた無報知期間を考慮した所定時間β経過後に報知を開始するようにしたものである。なお、実施例２の印刷装置１の構成は、図１に示す実施例１の印刷装置１と同じで、ＣＰＵ１１の動作が異なるだけであるので、図１に示す実施例１の印刷装置１の構成を参照して説明する。
【００５０】
図４および図５は、実施例２の印刷装置１の印刷動作を示すフローチャートである。なお、図２に示す実施例１の印刷装置１の印刷動作と同じ処理には、同一のステップ番号を付して説明は省略する。
【００５１】
まず、実施例２の印刷装置１では、図４に示すように、各組の最後のページの印刷を終了し（ステップＳ１１１“Ｙｅｓ”）、かつ、最後の組の印刷終了でない場合（ステップＳ１１３“Ｎｏ”）、最後の組でない途中の組の印刷が終了した場合であるため、印刷動作を一時停止する（ステップＳ２０１）。ただし、図２に示すステップ１１５の場合とは異なり、印刷部１６の印刷エンジン（図示せず。）を動作状態のまま印刷動作を一時停止する。つまり、図２に示すステップ１１５では、印刷部１６の印刷エンジン（図示せず。）は動作を停止している。
【００５２】
次に、ＣＰＵ１１は、制御手段１１ｂとして機能して、次の組の印刷時間α１を算出すると共に（ステップＳ２０３）、後処理の内容に応じた後処理時間α２を決定して（ステップＳ２０５）、次の組の印刷時間α１が後処理時間α２よりも大きいか否かを判定する（ステップＳ２０７）。
【００５３】
ここで、図３（ａ）に示すように次の組の印刷時間α１が後処理時間α２よりも大きい場合（ステップＳ２０７“Ｙｅｓ”）、ＣＰＵ１１は、印刷物の取出しに最低限必要な取出し最低限必要時間Ｘを所定時間αに設定する一方（ステップＳ２０９）、図３（ｂ）に示すように後処理時間α２が次の組の印刷時間α１以上の場合（ステップＳ２０７“Ｎｏ”）、後処理時間α２と次の組の印刷時間α１との差分（α２−α１）を後処理種別に応じた無報知期間とし、この差分（α２−α１）に取出し最低限必要時間Ｘを加算した（α２−α１）＋Ｘを所定時間αに設定して（ステップＳ２１１）、経過時間のカウントを開始する（ステップＳ２１３）。なお、図２に示すステップＳ１１７の場合と同様に、ステップＳ２０１で印刷動作を一時停止後に経過時間のカウントを開始しても良い。
【００５４】
次に、図５に示すように、ＣＰＵ１１は、図３のステップＳ２０９またはステップＳ２１１で設定した所定時間αが経過するまでの間に（ステップＳ２１７“Ｎｏ”）、排紙センサ１７ａからのセンサ出力に基づいて印刷物が排紙トレイ１７から除去されたか否かを判定する（ステップＳ２１５）。
【００５５】
ここで、経過時間のカウント後、所定時間αが経過するまでの間に（ステップＳ２１７“Ｎｏ”）、印刷物が排紙トレイ１７から除去された場合（ステップＳ２１５“Ｙｅｓ”）、ＣＰＵ１１は、印刷動作を再開して（ステップＳ２１９）、ステップＳ１０９の処理に戻る。
【００５６】
そのため、実施例２の印刷装置１では、組の最後のページの印刷を終了し（ステップＳ１１１“Ｙｅｓ”）、かつ、最後の組の印刷終了でない場合（ステップＳ１１３“Ｎｏ”）、ステップＳ２０１の処理で印刷部６は印刷動作を一時停止するものの動作状態にあるため、ステップＳ２１９の処理で印刷動作を再開して、ステップＳ１０９の処理に戻った際、実施例１の印刷装置１の場合よりも早く印刷動作を実行することができる。なお、ステップＳ２１９の処理で印刷動作を再開させる際、後述するステップＳ２２５の処理によって組間の印刷動作一時停止をユーザＩ／Ｆ部１８等により報知している場合には、その報知を中止させる。
【００５７】
その一方、印刷物が排紙トレイ１７から除去されずに（ステップＳ２１５“Ｎｏ”）、印刷動作を一時停止後、所定時間αが経過した場合（ステップＳ２１７“Ｙｅｓ”）、ＣＰＵ１１は、印刷部１６の印刷エンジン（図示せず。）を停止させて（ステップＳ２２１）、未報知であるか否かを判定する（ステップＳ２２３）。なお、ステップＳ２２１における印刷部１６の停止は、図２に示す実施例１のステップＳ１１５と同様に、印刷部１６の印刷エンジン（図示せず。）の停止（スリープ）状態であり、直ぐに印刷動作を再開できない状態にあるのに対し、ステップＳ２０１における印刷動作の一時停止は、印刷エンジン（図示せず。）は停止せず、すぐに印刷動作を再開できる状態である。
【００５８】
そして、未報知の場合のみ（ステップＳ２２３“Ｙｅｓ”）、ＣＰＵ１１は、組間の印刷動作一時停止を報知し（ステップＳ２２５）、さらに経過時間のカウント後、所定時間βが経過したか否かを判定する（ステップＳ２２７）。
【００５９】
ここで、所定時間βは、印刷時間や後処理の内容に応じた所定時間αに所定の固定値を加算した値である。固定値は後処理の内容にかかわらず決めて良く、後述する印刷ジョブの分離処理を行うか否かを判定するための時間で、例えば、３０秒や、６０秒等、ユーザが適宜設定できる。
【００６０】
そして、ステップＳ２２７の判定処理で、経過時間のカウント後、所定時間βを経過していない場合（“Ｎｏ”）、ＣＰＵ１１は、ステップＳ２１５の処理に戻り、上述の処理を行う一方、所定時間βを経過した場合（“Ｙｅｓ”）、印刷ジョブの分離処理を実行して（ステップＳ２２９）、終了する。つまり、ＣＰＵ１１は、印刷ジョブを印刷済み分と、未印刷分とに分離した上で、印刷済み分は印刷済みジョブとして処理する一方、未印刷分を未印刷ジョブとして保留して終了する。これにより、排紙トレイから印刷物を除去せずに報知しても気付かないユーザがいる場合、印刷ジョブの分離を実行して、効率良くユーザに組毎の印刷物を確実に後処理させることができる。
【００６１】
次に、後処理の内容に応じた報知時間制御の具体例を、図６〜図８を参照して説明する。ただし、以下の説明では、印刷ジョブの分離処理は説明しない。
【００６２】
図６は、一組の印刷枚数が多く、後処理にオフセット等の時間がかからない場合で、次の組の印刷時間α１が後処理時間α２よりも長い図３（ａ）に示す場合である。
【００６３】
オフセットは、印刷物を組毎にずらして積み上げるだけであるので、ユーザの作業は次の組の印刷完了までに終了できるからである。
【００６４】
この場合は、図６に示すように、印刷期間が終了後、ユーザは印刷物を取り出し、積み上げるだけであるので、ユーザの作業は次の組の印刷完了までに終了する。そのため、例えば、ユーザがこの印刷装置１から離れる等して、印刷期間終了後、所定時間αを経過しても排紙トレイ１７から印刷物が除去されていない場合、所定時間αを経過後、排紙トレイ１７から印刷物の取り出しが完了されるまでユーザＩ／Ｆ部１８等によって報知されることになる。図６では、４組目の印刷物の印刷期間が終了後に所定時間α（＝取出し最低限必要時間Ｘ）経過後、排紙トレイ１７から印刷物の取り出しが完了されるまでユーザＩ／Ｆ部１８等によって報知される。
【００６５】
図７は、一組の印刷枚数が数枚だが、後処理がステープル処理等の時間がかかり、後処理時間α２が次の組の印刷時間α１以上となる図３（ｂ）に示す場合に、所定時間αを取出し最低限必要時間Ｘとして報知した場合を示している。
【００６６】
ステープル処理は、印刷物を綴じ積み上げる処理であるので、印刷時間α１よりも後処理時間α２の方が長くなる場合が多い。そのため、図７に示すように、後処理がステープル処理等の時間がかかる場合、そのステープル処理に時間をとられるため、所定時間αを取出し最低限必要時間Ｘとして、所定時間α（＝Ｘ）経過後に報知する場合、４組目の印刷物のようにユーザが印刷装置から離れていた場合だけでなく、印刷装置から離れていない２組目および３組目の印刷物の場合でも、印刷後に報知されることになり煩わしい。
【００６７】
そのため、実施例２の印刷装置１では、図３（ｂ）に示すように次の組の印刷時間α１よりも後処理時間α２の方が長い場合には、図４に示すステップＳ２１１の処理で所定時間αを、（α２−α１）＋Ｘに設定して、経過時間をカウントする。
【００６８】
図８は、一組の印刷枚数が数枚だが、後処理がステープル処理等の時間がかかり、後処理時間α２が次の組の印刷時間α１以上となる図３（ｂ）に示す場合に、後処理種別に応じた無報知期間を設定したものである。
【００６９】
つまり、次の組の印刷時間α１よりも印刷後にユーザが行う後処理時間α２の方が長いステープル処理等を選択した場合、図４に示すステップＳ２１１の処理で説明したように、後処理時間α２と次の組の印刷時間α１との差分（α２−α１）を後処理種別に応じた無報知期間とし、この差分（α２−α１）に取出し最低限必要時間Ｘを加算した（α２−α１）＋Ｘを所定時間αとして設定する。
【００７０】
ただし、図８における４組目の印刷物のように、後処理種別に応じた無報知期間を経過しても印刷物の取出しを確認できない場合は、印刷装置１からユーザが離れているものと判定して報知して印刷物の取出しを報知する。
【００７１】
従って、実施例２の印刷装置１によれば、印刷物が排紙トレイ１７から除去されず、印刷動作を一時停止後、印刷時間や後処理の内容に応じた所定時間αが経過した場合、印刷部１６が印刷動作を停止すると共に、ユーザＩ／Ｆ部１８による報知を行い、さらにその所定時間αに固定値を追加した所定時間βを経過した場合、印刷ジョブの分離処理を実行して、印刷済み分は印刷済みジョブとして処理する一方、未印刷分を未印刷ジョブとして保留して終了する。
【００７２】
そのため、実施例２の印刷装置１では、印刷部１６が印刷動作の一時停止から印刷時間や後処理の内容に応じた所定時間αを経過するまでは、印刷部１６が動作状態にあるので、その間に排紙トレイ１７から印刷物が除去された場合、迅速に次の組を印刷できると共に、その所定時間αを経過しても排紙トレイ１７から印刷物が除去されない場合に初めて印刷部１６が停止して、ユーザＩ／Ｆ部１８による報知を行うので、実施例１の場合よりも、印刷時間や後処理の内容に応じて効率良くユーザに組毎の印刷物を確実に後処理させることができる。
【００７３】
特に、実施例２の印刷装置１では、印刷時間や後処理の内容に応じた所定時間αに固定値を追加した所定時間βを経過した場合、印刷ジョブの分離処理を実行して、印刷済み分は印刷済みジョブとして処理する一方、未印刷分を未印刷ジョブとして保留して終了するので、排紙トレイ１７から印刷物を除去せずに報知しても気付かないユーザがいる場合、印刷ジョブの分離を実行して、効率良くユーザに組毎の印刷物を確実に後処理させることができる。
【符号の説明】
【００７４】
１…印刷装置
１１・・・ＣＰＵ
１１ａ・・・受付手段
１１ｂ・・・制御手段
１２・・・メモリ
１３・・・プログラム記憶部
１４・・・ネットワークＩ／Ｆ部
１５・・・給紙部
１６・・・印刷部
１７・・・排紙トレイ
１７ａ・・・排紙センサ
１８・・・ユーザＩ／Ｆ部（報知手段）
２…ネットワーク
３…ＰＣ
【図１】
2016049633.tif 000003
【図２】
2016049633.tif 000004
【図３】
2016049633.tif 000005
【図４】
2016049633.tif 000006
【図５】
2016049633.tif 000007
【図６】
2016049633.tif 000008
【図７】
2016049633.tif 000009
【図８】
2016049633.tif 000010